(57)【要約】【課題】処理装置筐体の配向に応じて好適な取付方向が決まる機能部品を交換しなくても、機能部品の操作性や視認性を損なうことなく処理装置筐体の配向変更を伴う処理装置の配置変更を行う。【解決手段】処理装置３は画像形成装置２に接続して使用される装置であり、画像形成装置筐体２０の側面２０Ｂまたは正面２０Ａにそれぞれ処理装置筐体３０の配向を略９０度異なる第１配向または第２配向に変更して配置可能とされる。処理装置３は、外観に現れるように取付けられて処理装置筐体３０の配向に応じて所定の方向に取付方向が変更されて取り付けられる機能部品４，５を有する。そして、本発明の処理装置３は、このような機能部品４，５の取付方向可変機構を備えており、第１配向または第２配向に対応して、機能部品４，５の取付方向を変更することが可能である。【選択図】  図１
2014160938.tif 000002
【特許請求の範囲】
【請求項１】
画像形成装置に接続して使用される装置であり、画像形成装置筐体の側面または正面にそれぞれ処理装置筐体の配向を略９０度異なる第１配向または第２配向に変更して配置可能とされる処理装置であって、
処理装置の外観に現れるように取付けられて処理装置筐体の配向に応じて所定の方向に取付方向が変更されて取り付けられる機能部品と、
前記第１配向または前記第２配向に対応して、前記機能部品の取付方向を略９０度異なる第１取付方向または第２取付方向に変更可能に構成された取付方向可変機構と、
を備える処理装置。
【請求項２】
前記機能部品が、前記処理装置筐体上面に設定された装着部に対して装着される表示パネルであり、前記取付方向可変機構は、前記表示パネルを前記装着部上方で回転させる回転手段、前記第１取付方向または前記第２取付方向に対応して前記表示パネルの回転角度を略９０度に規制する規制手段、および前記規制手段により規制される位置に前記表示パネルをロックするロック手段を有する、請求項１に記載の処理装置。
【請求項３】
前記機能部品が、その一側面に取出口を有し、前記処理装置筐体内に設定された装着部に対して装着されるコイン返却ボックスであり、前記取付方向可変機構は、前記第１取付方向または前記第２取付方向に対応して略９０度異なる配向で前記コイン返却ボックスの前記装着部における取付位置に位置合わせする位置合わせ手段、および前記位置合わせ手段により位置合わせされる位置で前記コイン返却ボックスを固定する固定手段を有する、請求項１に記載の処理装置。
【請求項４】
用紙に画像を形成する画像形成装置と、
前記画像形成装置に接続して使用される装置であり、画像形成装置筐体の側面または正面にそれぞれ処理装置筐体の配向を略９０度異なる第１配向または第２配向に変更して配置可能とされる処理装置と、を備える画像形成システム。
【請求項５】
前記処理装置筐体は略直方体であり、前記第１配向は、前記処理装置筐体の長辺側側面が前記画像形成装置筐体の側面に平行となる配向であり、前記第２配向は、前記処理装置筐体の長辺側側面が前記画像形成装置筐体の正面に平行となる配向である請求項４に記載の画像形成システム。
【発明の詳細な説明】
【技術分野】
【０００１】
この発明は、画像形成装置に付随する処理装置およびその画像形成装置と処理装置を備える画像形成システムに関する。画像形成装置の例としては複写機、処理装置の例としては課金装置（コインベンダー）が挙げられる。
【背景技術】
【０００２】
事務機器としてオフィスなどに設置されることの多い複写機は、省スペースに設置するための工夫として、作業面を複写機筐体の上面、正面および左右いずれか一方の側面に集中的に配置している（例えば、特許文献１参照。）。これにより、複写機筐体の背面および左右いずれか他方の側面を壁際に対向させるようにして、複写機にスペースのコーナー部に設置できる。ここでいう作業とは作業者が行う作業であり、給紙、排紙、原稿セット、ジャム処理、操作などが挙げられる。
【０００３】
近年は、スーパーやコンビニエンスストアなどの小売店にも複写機が設置され、一般消費者向けのセルフでの複写サービスが提供されている。このサービスは一般的に有料であるため、複写機を使用した場合に課金するためのコインベンダーも複写機とセットで併設される。コインベンダーの配置は、複写機筐体の側面に隣接してコインベンダーを設置するのが一般的である（例えば、特許文献２参照。）。
【先行技術文献】
【特許文献】
【０００４】
【特許文献１】特開平９−１３４０５０号公報
【特許文献２】特開２００７−４９３４４号公報
【発明の概要】
【発明が解決しようとする課題】
【０００５】
しかしながら、狭いオフィスやコンビニエンスストアなど小型の店舗では、複写機の設置空間が狭いという事情がある。このため、特許文献１のようにたとえコーナー部の壁際に複写機を設置したとしても、特許文献２のように、複写機筐体の側面にコインベンダーを設置するための十分なスペースを確保することが困難となる場合があった。
【０００６】
一方で、複写機筐体の正面側には、ユーザーが立って操作を行うための唯一の空間があるので、この空間を利用してコインベンダーを設置することも考えられる。
【０００７】
しかし、コインベンダーは複写機筐体の側面設置用に専用に設計されているので、複写機筐体の正面に設置するためにコインベンダー筐体の配向を略９０度変更した場合には、金額などを表示するための表示パネルやコイン返却ボックスなど、視認性や作業性の面で好適な取付方向が必然的に決まってしまう機能部品まで配向が変更されてしまう。これにより、複写機筐体の正面側に立つユーザーにとって金額が見にくかったり、釣銭を取り出しにくかったりという不便を来すことになる。
【０００８】
ここで、コインベンダーの配向に応じて専用の表示パネルやコイン返却ボックスを用意すると部品コストが上昇する問題が生じる。
【０００９】
この発明は上記課題に鑑みてなされたものであり、処理装置筐体の配向に応じて好適な取付方向が決まる機能部品を共用化することで部品交換が不要であり、機能部品の操作性や視認性を損なうことなく処理装置筐体の配向変更を伴う処理装置の配置変更を行うことが可能な処理装置および画像形成システムを提供することを目的とする。
【課題を解決するための手段】
【００１０】
この発明は、画像形成装置に付随し、画像形成装置と共に使用される処理装置に関する。すなわち、画像形成装置に接続して使用される装置であり、画像形成装置筐体の側面または正面にそれぞれ処理装置筐体の配向を略９０度異なる第１配向または第２配向に変更して配置可能とされる処理装置に関する。
【００１１】
画像形成装置筐体の側面側に十分な空間があるときは、この空間を利用して、処理装置筐体を第１配向として画像形成装置筐体の側面に処理装置が設置される。一方、画像形成装置筐体の側面側に空間的余裕がない場合は、唯一の空間であるユーザーが立って操作を行うための唯一の空間である、正面側の空間に、処理装置筐体を第２配向として画像形装置筐体の正面に処理装置が設置される。
【００１２】
処理装置は、処理装置の外観に現れるように取付けられてその機能上、処理装置筐体の配向に応じて所定の方向に取付方向が変更されて取り付けられる機能部品を有する。そして、本発明の処理装置は、このような機能部品の取付方向可変機構を備えており、第１配向または第２配向に対応して、機能部品の取付方向を変更することが可能である。
【００１３】
前記機能部品として、処理装置筐体上面に設定された装着部に対して装着される表示パネルが挙げられる。この場合、前記取付方向可変機構は、表示パネルを装着部上方で回転させる回転手段、第１取付方向または第２取付方向に対応して表示パネルの回転角度を略９０度に規制する規制手段、および規制手段により規制される位置に前記表示パネルをロックするロック手段を有する構成とされる。
【００１４】
これにより、表示パネルを交換しなくても、表示パネルの視認性を損なうことなく処理装置筐体の配向変更を伴う処理装置の配置変更が可能となる。
【００１５】
また、前記機能部品が、その一側面に取出口を有し、処理装置筐体内に設定された装着部に対して水平方向に装着され、その一側面に取出口を有するコイン返却ボックスが挙げられる。この場合、前記取付方向可変機構は、第１取付方向または第２取付方向に対応して略９０度異なる配向でコイン返却ボックスの装着部における取付位置に位置合わせする位置合わせ手段と、位置合わせ手段により位置合わせされる位置でコイン返却ボックスを固定する固定手段と、を有する構成とされる。
【００１６】
これにより、コイン返却ボックスを交換しなくても、コイン返却ボックスの操作性を損なうことなく処理装置筐体の配向変更を伴う処理装置の配置変更が可能となる。
【００１７】
処理装置筐体の隣接する２つの側面には、第１コイン返却口および第２コイン返却口がそれぞれ開口される。そして、第１取付方向または第２取付方向に対応して、コイン返却ボックスは、取出口が第１コイン返却口または第２コイン返却口に対向するように処理装置筐体に取付けられる。
【００１８】
第１取付方向または第２取付方向に対応して、ひとつの共通の蓋で第１コイン返却口又は第２コイン返却口の一方を閉じるようにすると、未使用となるコイン返却口が処理装置の外観に現れて見栄えが損なわれることがない。
【００１９】
本発明では、コイン返却ボックスは、取出口に揺動自在に釣支されて取出口を開閉する開閉カバーと、落下するコインを受けるトレイ部に形成され取出口に向かって高くなる傾斜を有する傾斜部と、を有する。これによると、トレイ部に落下したコインをジャンプ台形状の傾斜部によって、開閉カバーの内面に積極的に当てることで、コインの飛び出しを防止することができる。
【００２０】
この発明では、第１配向または第２配向に対応して、画像形成装置筐体の側面または正面における処理装置の位置合わせを行うための位置合わせ部材を備える。これによると、処理装置を、画像形成装置筐体の側面または正面における所定の位置に配置することが可能となる。
【００２１】
位置合わせ部材は、別途用意しても良いが、処理装置筐体の底部に設けられた支持板によって兼用することができる。この支持板により、画像形成装置筐体の底部に設けられた支持脚を基準として処理装置の位置合わせを行う。
【００２２】
この発明が適用される画像形成システムは、画像形成装置と、画像形成装置に接続して使用される装置であり、画像形成装置筐体の側面または正面にそれぞれ処理装置筐体の配向を略９０度異なる第１配向または第２配向に変更して配置可能とされる処理装置と、を備える。画像形成装置の例としては複写機、処理装置の例としては課金装置（コインベンダー）が挙げられる。
【００２３】
また、処理装置筐体は略直方体であり、第１配向は、処理装置筐体の長辺側側面が画像形成装置筐体の側面に平行となる配向であり、第２配向は、処理装置筐体の長辺側側面が画像形成装置筐体の正面に平行となる配向である。これによると、空間に効率良く処理装置を配置することができる。
【００２４】
処理装置筐体の高さは、画像形成装置筐体の胴内排紙部の高さよりも低く設定される。これによると、胴内排紙部に排紙された用紙の取出し作業が処理装置によって物理的に阻害されることがない。
【００２５】
画像形成装置による画像形成の設定を受け付ける操作部を画像形装置筐体上面の正面側に備え、第２配向では、処理装置筐体は、画像形成装置筐体の正面側から見て操作部と重複しない位置に配置される。これによると、画像形成装置に操作部に対する操作が処理装置によって物理的に阻害されることがない。
【００２６】
処理装置は、画像形成装置筐体の背面または側面に設けられた接続部に対し電気的に接続する接続部材（ケーブル）を備え、接続部材は画像形成装置筐体の底面と接地面との隙間に配置される。床面から浮かして支持される画像形成装置筐体の底面下の空間を有効利用して配線を行うことが可能である。
【００２７】
処理装置は、画像形成装置筐体の背面または側面に設けられた接続部に対し電気的に接続する接続部材（ケーブル）を備え、さらに処理装置筐体または画像形成装置筐体に、両筐体間に隙間を形成するための凸部が設けられ、接続部材は隙間に配置される。画像形成装置筐体と処理装置筐体との間の空間を有効利用して配線を行うことが可能である。
【００２８】
処理装置は、画像形成装置筐体の背面または側面に設けられた接続部に対し電気的に接続する接続部材（ケーブル）を備え、さらに画像形成装置筐体は面取り形状を呈するコーナー部を有し、第２配向では、接続部材はコーナー部に沿って配置される。接続部材を画像形成装置筐体の側面に引き回して配線するときでも、接続部材を９０度屈曲させることなく、画像形成装置筐体のコーナー部を沿わして配線を行うことが可能である。
【発明の効果】
【００２９】
この発明によると、処理装置筐体の配向に応じて好適な取付方向が決まる機能部品を交換しなくても、機能部品の操作性や視認性を損なうことなく処理装置筐体の配向変更を伴う処理装置の配置変更を行うことが可能となる。
【図面の簡単な説明】
【００３０】
【図１】図１（Ａ）は本発明の実施形態に係る、画像形成装置筐体の一方の側面に処理装置を配置した画像形成システムの構成例を示す上面図である。図１（Ｂ）は同システム正面図である。
【図２】図２（Ａ）は本発明の実施形態に係る、画像形成装置筐体の他方の側面に処理装置を配置した画像形成システムの構成例を示すシステム上面図である。図２（Ｂ）は同システム正面図である。
【図３】図３（Ａ）は本発明の実施形態に係る、画像形成装置筐体の正面に処理装置を配置した画像形成システムの構成例を示すシステム上面図である。図３（Ｂ）は同システム正面図である。
【図４】処理装置の概略構成図である。
【図５】処理装置筐体の第１配向を説明するための処理装置の斜視図である。
【図６】処理装置筐体の第２配向を説明するための処理装置の斜視図である。
【図７】機能部品の一例であるコイン返却ボックスの取付方向可変機構および第１取付方向を説明するための処理装置の要部の斜視図である。
【図８】コイン返却ボックスの取付方向可変機構および第２取付方向を説明するための処理装置の要部の斜視図である。
【図９】コイン返却ボックスのトレイ部の形状を説明するためのコイン返却ボックスの断面図である。
【図１０】図１０（Ａ）は機能部品の他の例である表示パネルを上から見た斜視図である。図１０（Ｂ）は表示パネルの裏側から見た斜視図である。
【図１１】処理装置筐体上面の表示パネル装着部の構造を示す斜視図である。
【図１２】処理装置筐体内の表示パネル装着部の下方に配置される仕切板を裏側から見て示す斜視図である。
【図１３】表示パネル装着部に表示パネルが装着された状態を、仕切板の裏側から見て示す斜視図である。
【図１４】表示パネルの第１取付方向を説明するための処理装置筐体の上面図である。
【図１５】表示パネルの取付方向可変機構および第１取付方向を説明するための処理装置筐体の上面図である。
【図１６】表示パネルの第２取付方向を説明するための処理装置筐体の上面図である。
【図１７】表示パネルの取付方向可変機構および第２取付方向を説明するための処理装置筐体の上面図である。
【図１８】図１８（Ａ）は処理装置筐体の支持板の他の実施形態を示す、画像形成システム底面図であって処理装置が画像形成装置筐体の側面に設置された構成例を示す図である。図１８（Ｂ）は処理装置筐体の支持板の他の実施形態を示す、画像形成システム底面図であって処理装置が画像形成装置筐体の正面に設置された構成例を示す図である。
【図１９】図１９（Ａ），図１９（Ｂ）は接続部材の配線例を説明するための画像形成システム上面図である。
【図２０】接続部材の他の配線例を説明するための画像形成システム上面図である。
【図２１】図２１（Ａ）は接続部材のさらに他の配線例を説明するためのシステム上面図である。図２１（Ｂ）は同システム正面図である。
【発明を実施するための形態】
【００３１】
以下、図面を参照して本発明を実施するための形態を、複写機と複写機に接続して使用されるコインベンダー（課金装置）とを備える画像形成システムを例にして説明する。複写機は画像形成装置の一例、またコインベンダーは処理装置の一例である。本発明でいう画像形成装置および処理装置はこれらに限定されない。例えば、画像形成装置は複写機能を持たないプリンタでも良いし、複写機能に加えてプリンタ機能およびファックス機能を併せ持つ複合機でも良い。また、処理装置は排紙された用紙に各種の後処理（ステイプル処理など）を施す後処理装置でも構わない。
【００３２】
図１（Ａ），（Ｂ）、図２（Ａ），（Ｂ）、図３（Ａ），（Ｂ）に示すように、画像形成システム１は、複写機２およびコインベンダー３から構成される。複写機２は単独で画像形成装置として機能するメイン装置であり、コインベンダー３は複写機２に接続されて複写機２を利用する際に料金を徴収するための付随装置である。このため、サイズ的には、複写機筐体２０はコインベンダー筐体３０よりもかなり大きい。画像形成システム１は、有料の複写サービスを提供するコンビニエンスストアなどに設置される。コインベンダー３と複写機２との接続は、接続部材（ケーブル）を介して有線で接続される場合もあるし、ワイヤレス通信のインターフェースを用いて無線で接続される場合もある。
【００３３】
一般的には、複写機筐体２０とコインベンダー筐体３０は共に直方体形状の外観を呈する。ただし、両筐体の外観は直方体形に限定されるものではない。コインベンダー筐体３０は、水平方向について明確に長手方向が規定される形状を呈する。本実施形態では、コインベンダー筐体３０が直方体形状を呈するので、長辺方向が長手方向、短辺方向が短手方向となる。コインベンダー筐体３０は、対向する一対の短辺側（がわ）側面３０Ａ，３０Ｂと対向する一対の長辺側（がわ）側面３０Ｃ，３０Ｄとで構成される４つの側面を有することになる。
【００３４】
図５、図６に示すように、コインベンダー筐体３０の底面には支持板６が取付けられている。支持板６は、取付部６１、第１足部６２Ａおよび第２足部６２Ｂから構成される。取付部６１、第１足部６２Ａおよび第２足部６２Ｂは矩形を呈する。取付部６１はコインベンダー筐体３０の底面とほぼ同形の長方形であり、コインベンダー筐体３０の底面にビス止めによって固定される。第１足部６２Ａまたは第２足部６２Ｂは、取付部６１のコインベンダー筐体３０の底面の長辺に沿う辺からコインベンダー筐体３０の長辺側側面３０Ｃまたは長辺側側面３０Ｄと垂直な方向へ張り出している。この第１足部６２Ａおよび第２足部６２Ｂの張り出しによって支持板６はコインベンダー筐体３０を安定的に床面Ｆ上に支持している。同図に示された支持板６は、取付部６１が第１足部６２Ａおよび第２足部６２Ｂよりも一段高く形成された構成を採用しているが、コインベンダー筐体３０の底板に取付けるために使用するビスの頭部を配置する空間を取付部６１の下に確保するためである。
【００３５】
コインベンダー３は複写機筐体２０の側面２０Ｂ（２０Ｃ）または正面２０Ａに沿って設置可能であり、その配置に応じてコインベンダー筐体３０の配向が９０度異なる第１配向（図１（Ａ），（Ｂ）、図２（Ａ），（Ｂ）参照。）または第２配向（図３（Ａ），（Ｂ）参照。）に変更して設置される。
【００３６】
第１配向は、図１（Ａ），（Ｂ）、図２（Ａ），（Ｂ）に示すように、コインベンダー筐体３０の一方の短辺側側面３０Ａが手前（正面）に位置し、幅方向を短辺側側面３０Ａ，３０Ｂが規定するとともに、奥行き方向を長辺側側面３０Ｃ，３０Ｄが規定する配向である。この第１配向で、コインベンダー３は、図１（Ａ），（Ｂ）に示すように、コインベンダー筐体３０の一方の長辺側側面３０Ｃが複写機筐体２０の一方の側面２０Ｂに対面するように設置される。あるいは、コインベンダー３は、図２（Ａ），（Ｂ）に示すように、コインベンダー筐体３０の一方の長辺側側面３０Ｄが複写機筐体２０の一方の側面２０Ｃに対面するように設置される。コインベンダー筐体３０の短手方向が幅方向になる配置であるため、コインベンダー３によって複写機筐体２０の側面側（図１（Ａ）では右方、図２（Ａ）では左方。）のスペースがあまりとられることがない。
【００３７】
第２配向は、図３（Ａ），（Ｂ）に示すように、コインベンダー筐体３０の一方の長辺側側面３０Ｄが手前（正面）に位置し、幅方向を長辺側側面３０Ｃ，３０Ｄが規定するとともに奥行き方向を短辺側側面３０Ａ，３０Ｂが規定する配向である。この第２配向で、コインベンダー３は、コインベンダー筐体３０の他方の長辺側側面３０Ｃが複写機筐体２０の正面２０Ａに対面するように設置される。コインベンダー筐体３０の短手方向が奥行き方向になる配置であるため、コインベンダー３によって複写機筐体２０の正面側（図２（Ａ）では下方。）のスペースがあまりとられることがない。
【００３８】
複写機２の外観部の概略構成を説明する。複写機筐体２０の上面には、原稿載置台（不図示。）を開閉するカバーを兼ねる原稿自動送り装置２１が配設される。複写機筐体２０の上面の正面側には、画像形成動作の実行を操作するための操作部２２が設けられる。操作部２２はタッチパネル式の表示部を有しており、その面積を確保するために操作部２２は複写機筐体２０の正面側（図１（Ａ）では下側。）へ若干突出している。
【００３９】
図２（Ａ），（Ｂ）に示すように、第２配向では、コインベンダー筐体３０は、複写機筐体２０の正面側から見て操作部２２と重複しない位置に配置される。これによると、画像形成装置に操作部に対する操作が処理装置３によって物理的に阻害されることがない。
【００４０】
複写機筐体２０の上部には、胴内排紙部２３が形成されている。胴内排紙部２３は、排紙部の省スペース化をはかった構造であり、複写機筐体２０の胴体にめり込んだ空洞部として形成される。ユーザーが手をアクセスしやすくするため、胴内排紙部２３は複写機筐体２０の正面２０Ａおよび他方の側面２０Ｃに開放されている。
【００４１】
複写機筐体２０の下部に給紙部２４が形成される。給紙部２４は多段のトレイから構成され、複写機筐体２０の正面２０Ａからトレイを引き出して給紙部２４へ用紙を適宜補給することができるようになっている。
【００４２】
複写機２は、複写機筐体２０の底面の４隅に設けられた支持脚２５によって床面Ｆ上に支持される。その他、複写機筐体２０内部の複写動作を実行するための機能部の構成は公知であるので説明を省略する。
【００４３】
つぎに、コインベンダー３の概略構成を図４を参照して説明すると、コインベンダー３は、コインベンダー筐体３０の上面に設けられたコイン投入口３１に投入されるコインをコイン通路３２を通してコイン処理装置３３に導入して課金処理する。この処理は複写機２に送られ、複写機２は複写動作を実行するための操作部２２への入力操作受け付け状態にスタンバイされる。
【００４４】
課金処理済みのコインは、コイン通路３４を通過して金庫３５に蓄積される。コインベンダー筐体３０の上面に装着される表示パネル５に表示される。その他、コインベンダー３は、コイン返却ボタン３８、コイン返却ボックス４を備える。操作部２２への入力操作の前にコイン返却ボタン３８を押下すると、課金処理がキャンセルされ、投入済みのコインがコイン返却ボックス４に返却される。コインベンダー３の全体の動作は制御部３７によって制御される。
【００４５】
コイン返却ボックス４および表示パネル５は、コインベンダー３の機能を発揮するために必要な機能部品の一例である。本発明で定義される機能部品とは、コインベンダー３の外観に現れるように取付けられてコインベンダー筐体３０の配向に応じて所定の方向に取付方向が変更されて取り付けられる部品である。
【００４６】
上述したように、第１配向または第２配向で、コインベンダー筐体３０の配向は９０度異なる。コインベンダー筐体３０の隣接する側面であって各配向で正面を向く面に第１コイン返却口３０１Ａおよび第２コイン返却口３０１Ｂがそれぞれ開口する。すなわち、第１配向で正面を向く短辺側側面３０Ａ（図１（Ｂ）参照。）および第２配向で正面を向く長辺側側面３０Ｄ（図３（Ｂ）参照。）に、第１コイン返却口３０１Ａおよび第２コイン返却口３０１Ｂがそれぞれ形成される。第１コイン返却口３０１Ａおよび第２コイン返却口３０１Ｂは同一の高さおよび同一の大きさに設定される。
【００４７】
これにより、コインベンダー３がいずれの配向で設置されてもコインベンダー筐体３０の正面にいずれかのコイン返却口が必ず存在するようになる。本実施形態ではコイン返却口の形状は矩形であるが、必ずしも矩形に限定されない。
【００４８】
なお、第１配向または第２配向で、コインベンダー筐体３０の配向は９０度異なるとしたが、見かけ上９０度異なれば良いという意味であって厳密に９０度である必要はない。例えば、７０度〜１１０度の程度の範囲内の角度差であれば許容される。
【００４９】
図５に示すように、第１配向では、第１コイン返却口３０１Ａが使用されるため、未使用となる第２コイン返却口３０１Ｂが蓋部材４９によって閉じられる。図６に示すように、第２配向では、第２コイン返却口３０１Ｂが使用されるため、未使用となる第１コイン返却口３０１Ａが蓋部材４９によって閉じられる。第１コイン返却口３０１Ａと第２コイン返却口３０１Ｂとは、共通の蓋部材４９によって閉じられる。これによって、未使用となるコイン返却口がコインベンダー３の外観に現れて見栄えが悪くなることが防がれる。
【００５０】
図７、図８に示すように、コイン返却ボックス４は、上面が開放された略直方体を呈するボックス本体４０を有する。ボックス本体４０の一側面には略全域に矩形の取出口４０１が形成される。取出口４０１の内側には、矩形の開閉カバー４１が釣支される。ボックス本体４０の一側面下縁部は、垂直に延長されて舌片部４６を形成している。
【００５１】
ボックス本体４０の底面には、取出口４０１が形成された側面に対して直交する方向に延びて第１支持片４３Ａおよび第２支持片４３Ｂが設けられる。また、第１支持片４３Ａおよび第２支持片４３Ｂの後端には係合突起４４が凸設される。
【００５２】
コインベンダー筐体３０内は、コイン返却ボックス４を水平方向に装着するための装着部３０２が形成される。装着部３０２は第１コイン返却口３０１Ａおよび第２コイン返却口３０１Ｂを介してコインベンダー筐体３０の外部に臨んでいる。
【００５３】
コインベンダー筐体３０の長辺側側面３０Ｄはコイン返却ボックス４の取付方向の変更、金庫３５内のコイン回収その他メンテナンスのために開閉できるヒンジ式の扉となっている。図７、図８は、装着部３０２を開放するために扉（長辺側側面３０Ｄ）が開かれた状態を示している。
【００５４】
装着部３０２の底面の開放側（図７、図８でコイン返却ボックス４の挿入方向を示す矢印方向に関して手前側。）にビス孔３０４を有する取付片３０３が立設される。さらに、装着部３０２の底面の奥側には、係合突起４４を係合可能な係合孔を有する第１係止片３０５Ａおよび第２係止片３０５Ｂが形成される。第１係止片３０５Ａおよび第２係止片３０５Ｂの間隔は、第１支持片４３Ａおよび第２支持片４３Ｂの間隔に等しく設定される。また、第１係止片３０５Ａおよび第２係止片３０５Ｂの前面は面一に設定される。
【００５５】
装着部３０２の底面、第１係止片３０５Ａ、第２係止片３０５Ｂ、第１支持片４３Ａ、第２支持片４３Ｂ、係合突起４４、取付片３０３、取付片３０３のビス孔３０４、舌片部４６、舌片部４６のビス孔４５および第１支持片４３Ａのビス孔４５は、本発明の取付方向可変機構を構成する。このような取付方向可変機構を利用して２種類の取付方向を任意に選択してコイン返却ボックス４をコインベンダー筐体３０に取り付けることが出来る。
【００５６】
図７は、コイン返却ボックス４の第１取付方向を示している。第１配向でコインベンダー３が設置される場合（図１（Ａ），（Ｂ）参照。）は、コインベンダー筐体３０の短辺側側面３０Ａに形成された第１コイン返却口３０１Ａが正面に位置する。したがって、第１配向では、コイン返却ボックス４は、その取出口４０１が第１コイン返却口３０１Ａに対向するようにコインベンダー筐体３０の装着部３０２に固定される。
【００５７】
このとき、第１支持片４３Ａおよび第２支持片４３Ｂが装着部３０２の底面上で支持されるとともに、第２支持片４３Ｂの外側面が第１係止片３０５Ａおよび第２係止片３０５Ｂの前面に当接されることにより、コイン返却ボックス４が適正位置に位置合わせされる。コイン返却ボックス４の固定は、第１支持片４３Ａのビス孔４５および取付片３０３のビス孔３０４に対してビス止めすることで行う。
【００５８】
図８は、コイン返却ボックス４の第２取付方向を示している。第２配向でコインベンダー３が設置される場合（図２（Ａ），（Ｂ）参照。）は、コインベンダー筐体３０の長辺側側面３０Ｃに形成された第２コイン返却口３０１Ｂ（図６参照。）が正面に位置する。したがって、第２配向では、コイン返却ボックス４は、その取出口４０１が第２コイン返却口３０１Ｂに対向するようにコインベンダー筐体３０の装着部３０２に取付けられる。
【００５９】
このとき、第１支持片４３Ａおよび第２支持片４３Ｂが装着部３０２の底面上で支持されるとともに、第１支持片４３Ａおよび第２支持片４３Ｂの係合突起４４が第１係止片３０５Ａおよび第２係止片３０５Ｂに係合されることにより、コイン返却ボックス４が適正位置に位置合わせされる。この係合はコイン返却ボックス４のぐらつきも防止している。コイン返却ボックス４の固定は、舌片部４６のビス孔４５および取付片３０３のビス孔３０４に対してビス止めすることで行う。
【００６０】
図９（Ａ），（Ｂ）は、コイン返却ボックス４内に落下するコインの飛び出しを防止するための構造を示している。
【００６１】
図９（Ａ）は、コイン返却ボックス４のボックス本体４０のトレイ部４０２の端縁に、開閉カバー４１の外側への開放を阻止するストッパー４８を設けたものである。トレイ部４０２に落下したコインＣが開閉カバー４１の内面に当たっても、開閉カバー４１が外側へ開くことがないのでコインＣの飛び出しを防止することができる。
【００６２】
図９（Ｂ）は、コイン返却ボックス４のボックス本体４０のトレイ部４０２上に、トレイ部４０２の取出口４０１に向かって高くなる傾斜を有する傾斜部４７を設けたものである。傾斜部４７の頂点は、開閉カバー４１の下端よりも高位置に設定される。トレイ部４０２に落下したコインＣをジャンプ台形状の傾斜部４７によって、開閉カバー４１の内面に積極的に当てて跳ね返すことで、コインＣの飛び出しを防止することができる。
【００６３】
表示パネル５は、図１０（Ａ），（Ｂ）に示すように、蓋体５１と支持体５２が組み合わされて箱状を呈するパネル本体５０内に表示器などの電装部品（不図示。）が組み込まれて構成される。電装部品は基板に実装されて支持体５２内に支持される。
【００６４】
パネル本体５０の上面に相当する蓋体５１の外観部の主面には金額を表示する表示部５３が形成される。表示部５３の金額表示を視認しやすくなるように、蓋体５１の主面は手前側が低く奧側が高くなる傾斜面に形成されている。
【００６５】
パネル本体５０の裏面に相当する支持体５２の外観部の主面の中心部には、図５（Ｂ）に示すように、主軸５４が凸設される。主軸５４は中空の筒状であり、その中空部はパネル本体５０の内部へと通じている。したがって、主軸５４を通してハーネス（破線で示す。）を差し込むことによって、パネル本体５０内の電装部品への給電を行うことが出来るようになっている。
【００６６】
主軸５４の側面の周方向に関して所定の位置に、軸方向の略全域にわたって径方向に突出する抜け止めボス５５が形成される。抜け止めボス５５は、主軸５４の軸方向の途中に段差５５１を有することで、支持体５２の主面に近い基幹部分（同図では段差５５１の下側部分。）が太くなる構成の２段形状が採用されている。主軸５４の側面から突出する抜け止めボス５５の突出方向は、支持体５２の中心から一頂点に向かう、対角線に沿った方向である。図１０（Ａ）のように表示パネル５を表側から見ると、抜け止めボス５５の延長上に位置する頂点は、蓋体５１の主面の傾斜面における高さが最も高くなる一辺の一端（環状点線で囲まれた部分参照。）に相当する頂点である。
【００６７】
支持体５２の主面の主軸５４の周囲には、第１位置決めボス５６Ａおよび第２位置決めボス５６Ｂが凸設される。第１位置決めボス５６Ａおよび第２位置決めボス５６Ｂは、支持体５２の主面において、抜け止めボス５５の突出方向に沿った中心線に対して線対称に配置される。第１位置決めボス５６Ａおよび第２位置決めボス５６Ｂは主軸５４の軸中心から等距離で、かつ中心角は９０度に設定される。
【００６８】
コインベンダー筐体３０の上面には、図１１に示すように、表示パネル５を装着するための装着部３１２が凹設される。装着部３１２は略正方形を呈し、隣接する２辺はコインベンダー筐体３０の上面の長辺または短辺に平行である。装着部３１２の底面には、円と扇形が同心で重なった形状の孔３１３を囲む筒部３１４が下方に突出するように形成される。
【００６９】
図１２に示すように、装着部３１２（不図示。）の下方には、コインベンダー筐体３０内に仕切板３１８が固定され、仕切板３１８に、孔３１３に対応した形状を呈する孔３１９が形成される。孔３１９は、孔３１３とほぼ重なっているが、扇形の弧の部分の半径が孔３１３の対応する部分の半径よりも小さく設定されている。このため、図１１に示すように、装着部３１２を上からみると、筒部３１４の扇形の弧の部分の下端には、仕切板３１８の孔３１９の円弧が孔３１３の内側に張り出すことによってフランジ３１５が形成される。
【００７０】
孔３１３の円と扇形の共通の中心位置は、装着部３１２の中心に設定される。孔３１３の扇形の中心線はコインベンダー筐体３０の上面の短辺と平行であり、中心角は略９０度に設定される。
【００７１】
装着部３１２の底面には、孔３１３の円の周囲に、第１筒リブ３１６Ａ、第２筒リブ３１６Ｂおよび第３筒リブ３１６Ｃが設けられる。第１筒リブ３１６Ａは装着部３１２の底面において孔３１３の扇形の中心線上に位置し、第２筒リブ３１６Ｂおよび第３筒リブ３１６Ｃは中心線に対して線対称に配置される。隣接する筒リブ３１６Ａ，３１６Ｂおよび３１６Ａ，３１６Ｃの間隔は、孔３１３の円の中心に対して中心角が９０度になるように設定される。
【００７２】
表示パネル５は、コインベンダー筐体３０の上面において上記のように構成される装着部３１２に対して垂直方向に装着される。
【００７３】
主軸５４、抜け止めボス５５、第１位置決めボス５６Ａ、第２位置決めボス５６Ｂ、筒部３１４、孔３１３、第１筒リブ３１６Ａ、第２筒リブ３１６Ｂおよび第３筒リブ３１６Ｃは、表示パネル５の取付方向可変機構を構成している。この取付方向可変機構を利用して、２種類の取付方向を任意に選択して表示パネル５を装着部３１２に取り付けることができる。
【００７４】
図１４は、表示パネル５の第１取付方向を示している。第１配向でコインベンダー３が設置される場合（図１（Ａ），（Ｂ）参照。）は、コインベンダー筐体３０の正面を向く短辺側側面３０Ａ側から表示が視認しやすくなる図示の向きで表示パネル５が取り付けられる。このとき、図１５に示すように、表示パネル５に設けられた主軸５４の孔３１３の円に挿入され、抜け止めボス５５が孔３１３の扇形に挿入される。孔３１３の扇形の両端の径方向の直線部分は抜け止めボス５５の回動範囲を９０度に規制している。第１取付方向では、図示の如く、抜け止めボス５５は装着部３１２の左上の頂点を向く。第１位置決めボス５６Ａは第１筒リブ３１６Ａに嵌合され、第２位置決めボス５６Ｂは第２筒リブ３１６Ｂに嵌合される。これらの嵌合は表示パネル５を適正な取付位置にロックしている。
【００７５】
図１６は、表示パネル５の第２取付方向を示している。第２配向でコインベンダー３が設置される場合（図３（Ａ），（Ｂ）参照。）は、コインベンダー筐体３０の正面を向く長辺側側面３０Ｄ側から表示が視認しやすくなる図示の向きで表示パネル５が取り付けられる。図１６では、説明の都合上、第１配向の説明で参照した図１５と同じ向きでコインベンダー筐体３０を示している。このとき、図１７に示すように、表示パネル５に設けられた主軸５４の孔３１３の円に挿入され、抜け止めボス５５が孔３１３の扇形に挿入される。孔３１３の扇形の両端の径方向の直線部分は抜け止めボス５５の回動範囲を９０度に規制している。第２取付方向では、図示の如く、抜け止めボス５５は装着部３１２の左下の頂点を向く。第１位置決めボス５６Ａは第３筒リブ３１６Ｃに嵌合され、第２位置決めボス５６Ｂは第１筒リブ３１６Ａに嵌合される。これらの嵌合は表示パネル５を適正な取付位置にロックしている。
【００７６】
図１３に示すように、仕切板３１８の下側へ突き出る抜け止めボス５５の下端面の先端部にワッシャ７を介してビス留めすることで、表示パネル５は装着部３１２からの抜け止めが図られる。すなわち、パネル本体５０を持ち上げるとワッシャ７がフランジ３１５に干渉して抜け止めとなる。この抜け止めのおかげで、表示パネル５の取付方向の変更を、パネル本体５０を装着部３１２から浮かせて回転させるだけで容易に行えるようになる。
【００７７】
第１取付方向（図１４、図１５参照。）から第２取付方向（図１６、図１７参照。）への変更は、装着部３１２からパネル本体５０を浮かせて反時計方向へ９０度回転させる。このとき主軸５４が垂直方向に平行な回転軸となり、抜け止めボス５５は孔３１３の扇形内で回動する。第１位置決めボス５６Ａおよび第２位置決めボス５６Ｂは対応する筒リブ３１６Ａまたは３１６Ｂから抜けていて表示パネル５のロックは解除されている。第２取付方向から第１取付方向への変更は、その逆でパネル本体５０を時計方向へ９０度回転させる。
【００７８】
なお、主軸５４は、垂直方向に平行な回転軸であるとしたが、垂直方向に対して傾斜した回転軸であってもよい。また、抜け止めボス５５の回動範囲を９０度に規制することでパネル本体５０は回転角度を９０度としたが、抜け止めボス５５の回動範囲を規制することで、パネル本体５０の回転角度は見かけ上９０度とすればよく、厳密に９０度である必要はない。例えば、７０度〜１１０度の程度の範囲内の角度差であれば許容される。
【００７９】
図１８（Ａ），（Ｂ）はコインベンダー筐体３０の支持板６の他の実施形態を説明する、画像形成システムを底面側から見た平面図である。支持板６の第１足部６２Ａを、床面と複写機筐体２０の底面との間の空間に潜り込ませた際に、複写機筐体２０の底面の４隅に配置される支持脚２５を回避できるように、第１足部６２Ａの長手方向の両端をカットした形状としている。本実施形態では、第１足部６２Ａを台形とすることで、支持脚２５を回避するようにしているが、第１足部６２Ａの形状は台形に限定されない。
【００８０】
このように第１足部６２Ａに支持脚２５の回避部を形成することで、図１８（Ａ）のようにコインベンダー筐体３０を第１配向として複写機筐体２０の側面２０Ｂに設置する場合に、両装置筐体をぴったりとくっつけ、さらに正面同士を面一に揃えることが可能となる。図１８（Ｂ）のようにコインベンダー筐体３０を第２配向として複写機筐体２０の正面２０Ａに設置する場合も、両装置筐体をぴったりとくっつけ、さらに側面同士を面一に揃えることが可能となる。したがって、本実施形態によると、省スペースかつスッキリした画像形成システムが実現される。
【００８１】
また、支持板６の第１足部６２Ａの斜辺６３を支持脚２５に当接または近接させることにより、複写機筐体２０の奥行き方向または幅方向に関してコインベンダー３の位置合わせを行うことも可能となる。つまり、コインベンダー筐体３０の支持板６は、コインベンダー３の位置合わせ部材としての機能も兼ねている。
【００８２】
なお、この実施形態では第１足部６２Ａの接地面積が小さくなってしまうが、複写機筐体２０の底面下の隙間に潜り込まない第２足部６２Ｂが十分な接地面積を持つことで、コインベンダー３の転倒は防ぐことができる。
【００８３】
コインベンダー３と複写機２の接続は有線・無線を問わない。複写機筐体２０の背面または側面に設けられた接続部が設けられる場合、図１９（Ａ），（Ｂ）に示すように、接続部に対し電気的に接続する接続部材（ケーブル）を複写機筐体２０の底面と床面と隙間に通せばすっきりと配線できる。複写機筐体２０の側面を這わして接続部材を配線する場合は、図２０に示すように、複写機筐体２０のコーナー部をＣ面やＲ面などの面取り形状を採用し、コーナー部に沿わせて配線すれば、接続部材８の屈曲による断線などの心配なく短い接続部材８で配線することが出来る。
【００８４】
複写機筐体２０とコインベンダー筐体３０との間に隙間を形成するための凸部が有る場合は、その隙間を有効利用して接続部材を配線できる。例えば、図２１（Ａ），（Ｂ）に示すように、複写機筐体２０の側面２０Ｂに手差しトレイ２６を備えるときは、折りたたんだ手差しトレイ２６にコインベンダー筐体３０を密着させるようにコインベンダー３を配置することで、複写機筐体２０とコインベンダー筐体３０との間に隙間が形成されるので、この隙間を利用して接続部材８の配線を行うことが可能である。凸部は手差しトレイに限らず、またコインベンダー３に付属する部材でも良い。
【００８５】
以上説明したように、本発明によると、処理装置筐体の配向に応じて所定の方向に取付方向が変更されて取り付けられる機能部品を共用化することで部品交換が不要であり、機能部品の操作性や視認性を損なうことなく処理装置筐体の配向変更を伴う処理装置の配置変更を行うことが可能となる。
【００８６】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００８７】
１…画像形成システム
２…複写機
２０…複写機筐体
３…コインベンダー
３０…コインベンダー筐体
３０１Ａ…第１コイン返却口
３０１Ｂ…第２コイン返却口
４…コイン返却ボックス
４０…ボックス本体
４１…開閉カバー
５…表示パネル
５０…パネル本体
６…支持板
６１…取付部
６２Ａ…第１足部
６２Ｂ…第２足部
７…ワッシャ
８…接続部材
【図１】
2014160938.tif 000003
【図２】
2014160938.tif 000004
【図３】
2014160938.tif 000005
【図４】
2014160938.tif 000006
【図５】
2014160938.tif 000007
【図６】
2014160938.tif 000008
【図７】
2014160938.tif 000009
【図８】
2014160938.tif 000010
【図９】
2014160938.tif 000011
【図１０】
2014160938.tif 000012
【図１１】
2014160938.tif 000013
【図１２】
2014160938.tif 000014
【図１３】
2014160938.tif 000015
【図１４】
2014160938.tif 000016
【図１５】
2014160938.tif 000017
【図１６】
2014160938.tif 000018
【図１７】
2014160938.tif 000019
【図１８】
2014160938.tif 000020
【図１９】
2014160938.tif 000021
【図２０】
2014160938.tif 000022
【図２１】
2014160938.tif 000023